(57)【要約】【課題】袋状容器を簡単に装着することができる外装容器及び充填容器を提供することを目的とする。【解決手段】袋状容器２を覆う側壁３２と、袋状容器２を外装容器３に挿入するための挿入用開口部４と、外装容器３からスパウト２２を露出させるためのスパウト用開口部６と、側壁３２に連結されスパウト２２を支持するスパウト支持部５と、を備える構成とする。スパウト支持部５は、可撓性を有し、袋状容器２の挿入に伴うスパウト２２の移動によって変形し、スパウト用開口部６から露出した状態のスパウト２２を支持する。【選択図】図１
2015202875.tif 000002
【特許請求の範囲】
【請求項１】
スパウトを有する袋状容器を収容して自立させるための外装容器であって、
前記袋状容器を覆う側壁と、
前記袋状容器を前記外装容器に挿入するための挿入用開口部と、
前記外装容器から前記スパウトを露出させるためのスパウト用開口部と、
前記側壁に連結され前記スパウトを支持するスパウト支持部と、を備え、
前記スパウト支持部は、可撓性を有し、前記袋状容器の挿入に伴う前記スパウトの移動によって変形し、前記スパウト用開口部から露出した状態の前記スパウトを支持することを特徴とする外装容器。
【請求項２】
前記側壁は、可撓性を有し前記袋状容器よりも剛性が高く、前記袋状容器の外形に対応して湾曲することを特徴とする請求項１に記載の外装容器。
【請求項３】
前記袋状容器を挟持可能な一対の前記側壁を有する筒体を備え、
前記筒体の一端側に前記挿入用開口部が設けられ、
前記筒体の他端側に前記スパウト用開口部が設けられていることを特徴とする請求項１又は２に記載の外装容器。
【請求項４】
前記スパウト支持部は、前記スパウト用開口部の周縁部を形成し、前記スパウトを挟んで対向して配置され一対の前記側壁を連結する一対の支持片を有することを特徴とする請求項１〜３の何れか一項に記載の外装容器。
【請求項５】
前記一対の支持片は、前記スパウト用開口部の対向する周縁部が前記外装容器の外側に折り曲げられていることを特徴とする請求項４に記載の外装容器。
【請求項６】
前記一対の支持片は、前記スパウト用開口部の周縁部に切り込みが形成されていることを特徴とする請求項４又は５に記載の外装容器。
【請求項７】
請求項１〜６の何れか一項に記載の外装容器と、
対象物を収容する前記袋状容器と、を備えることを特徴とする充填容器。
【請求項８】
前記袋状容器の円筒状の前記スパウトの外面には、前記スパウトの中心線方向に交差する方向に張り出し、前記スパウト支持部に支持される一対の羽根部が形成されていることを特徴とする請求項７に記載の充填容器。
【請求項９】
軟包装用フィルムが貼り合わされて形成され、対象物を収容可能な袋状容器であって、
収容された前記対象物を吐き出すための開口が形成された円筒状のスパウトを有し、
前記スパウトの中心線方向に交差する方向に張り出す一対の羽根部が形成されていることを特徴とする袋状容器。
【発明の詳細な説明】
【技術分野】
【０００１】
本発明は、スパウトを有する袋状容器を収容して自立させるための外装容器及び充填容器、並びにスパウトを有する袋状容器に関する。
【背景技術】
【０００２】
従来から、食品や洗剤等の液体や粉体等を収容するパウチ容器等の袋状容器を自立させる外装容器が知られている。特開２００２−２５５２４０号公報には、箱状の外装容器が記載されている。この外装容器は、底部に袋状容器を挿入するための挿入用開口部が形成されており、頂部にスパウトを露出させるための露出用開口部が形成されている。この外装容器は、頂部に対してスライド移動可能となっている保持体が設けられており、この保持体を用いて、露出した状態のスパウトを保持することが可能となっている。
【先行技術文献】
【特許文献】
【０００３】
【特許文献１】特開２００２−２５５２４０号公報
【発明の概要】
【発明が解決しようとする課題】
【０００４】
上述した外装容器では、スパウトを有する袋状容器を外装容器の底部から挿入し、スパウトを露出用開口部から露出させた状態で保持体をスライド移動させることによって、スパウトが外装容器に保持される。このように、箱状の外装容器の下から袋状容器を挿入してスパウトを露出させた状態で保持体をスライド移動させなければならないので、袋状容器の装着を簡単に行うことができなかった。
【０００５】
本発明は、袋状容器の装着を簡単に行うことができる外装容器及び充填容器を提供することを目的とする。また、本発明は、外装容器に簡単に装着させることができる袋状容器を提供することを目的とする。
【課題を解決するための手段】
【０００６】
本発明の外装容器は、スパウトを有する袋状容器を収容して自立させるための外装容器であって、袋状容器を覆う側壁と、袋状容器を外装容器に挿入するための挿入用開口部と、外装容器からスパウトを露出させるためのスパウト用開口部と、側壁に連結されスパウトを支持するスパウト支持部と、を備え、スパウト支持部は、可撓性を有し、袋状容器の挿入に伴うスパウトの移動によって変形し、スパウト用開口部から露出した状態のスパウトを支持することを特徴としている。
【０００７】
このような外装容器によれば、側壁により袋状容器を収容して側壁を立てることで、袋状容器を自立させることができる。外装容器では、袋状容器を挿入用開口部から挿入することにより、可撓性を有するスパウト支持部を変形させて、スパウト用開口部からスパウトを露出させた後、スパウト支持部によってスパウトを支持することができる。外装容器に対して袋状容器を押し込むだけで、外装容器に簡単に袋状容器を装着することができる。
【０００８】
側壁は、可撓性を有し袋状容器よりも剛性が高く、袋状容器の外形に対応して湾曲する構成であることが好適である。これにより、袋状容器の膨らみに合わせて側壁が変形するので、袋状容器を外装容器に容易に装着することができる。また、袋状容器が側壁によって挟まれて位置が案内されるので、スパウト用開口部にスパウトが容易に案内されるので、一層装着しやすくなる。
【０００９】
また、袋状容器を挟持可能な一対の側壁を有する筒体を備え、筒体の一端側に挿入用開口部が設けられ、筒体の他端側にスパウト用開口部が設けられていることが好ましい。これにより、筒体の一端側から袋状容器を挿入し、筒体の他端側のスパウト開口部からスパウトを露出させて支持することができる。袋状容器を直線的にスライドさせるだけで簡単に外装容器に装着することができる。
【００１０】
スパウト支持部は、スパウト用開口部の周縁部を形成し、スパウトを挟んで対向して配置され一対の側壁を連結する一対の支持片を有することが好適である。スパウトをスパウト用開口部に挿入して、スパウト用開口部の周縁部によってスパウトを支持することができる。
【００１１】
また、一対の支持片は、スパウト用開口部の対向する周縁部が外装容器の外側に折り曲げられている。これにより、外向きに折り曲げられ上向きの状態の一対の支持片によって、スパウトを安定して支持することができる。
【００１２】
一対の支持片は、スパウト用開口部の周縁部に切り込みが形成されていてもよい。周縁部に切り込みが形成されているので、一対の支持片の可動域を広げることができる。また、切り込みを挟んで隣接する部分間で力が伝達されないので、周縁部に割れが発生するおそれを低減することができる。
【００１３】
また、本発明の充填容器は、上記の外装容器と、対象物を収容する袋状容器と、を備えることを特徴としている。
【００１４】
充填容器の外装容器では、袋状容器を挿入用開口部から挿入することにより、可撓性を有するスパウト支持部を変形させて、スパウト用開口部からスパウトを露出させた後、スパウト支持部によってスパウトを支持することができる。外装容器に対して袋状容器を押し込むだけで、外装容器に簡単に袋状容器を装着することができる。
【００１５】
袋状容器の円筒状のスパウトの外面には、スパウトの中心線方向に交差する方向に張り出し、スパウト支持部に支持される一対の羽根部が形成されていることが好適である。袋状容器を外装容器に対して押し込むと、一対の羽根部がスパウト支持部を押しのけて変形させる。一対の羽根部がスパウト支持部の位置を通り抜けると、スパウト支持部がもとの位置に復帰し、この状態においてスパウト支持部が一対の羽根部を支持する。
【００１６】
また、本発明の袋状容器は、軟包装用フィルムが貼り合わされて形成され、対象物を収容可能な袋状容器であって、収容された対象物を吐き出すための開口が形成された円筒状のスパウトを有し、スパウトの中心線方向に交差する方向に張り出す一対の羽根部が形成されていることを特徴としている。
【００１７】
本発明の袋状容器には一対の羽根部が設けられているので、袋状容器を外装容器に対して押し込むと、一対の羽根部が外装容器のスパウト支持部を押しのけて変形させる。一対の羽根部がスパウト支持部の位置を通り抜けると、スパウト支持部がもとの位置に復帰し、この状態において一対の羽根部はスパウト支持部によって支持される。
【発明の効果】
【００１８】
本発明によれば、袋状容器の装着を簡単に行うことができる外装容器及び充填容器を提供することができる。また、外装容器に簡単に装着させることができる袋状容器を提供することができる。袋状容器を外装容器に装着することで、袋状容器を外装容器に収容して自立させることができる。
【図面の簡単な説明】
【００１９】
【図１】本発明の一実施形態の液体用容器の斜視図である。
【図２】図１中の袋状容器を示す正面図である。
【図３】図１中の外装容器を示す斜視図である。
【図４】図１中の外装容器のスパウト用開口部を上方から示す平面図である。
【図５】図４中のＶ−Ｖ線矢視図である。
【図６】外装容器の展開図である。
【図７】外装容器に袋状容器が装着された液体用容器を示す断面図である。
【発明を実施するための形態】
【００２０】
以下、図面を参照しつつ、本発明に係る外装容器、充填容器及び袋状容器の実施形態について詳細に説明する。各図において、直交する３軸を、Ｘ方向、Ｙ方向、Ｚ方向と設定している。
【００２１】
図１に示されるように、液体用容器（充填容器）１は、調味料や洗剤等の液体（対象物）を収容可能なパウチ状の袋状容器２と、袋状容器２を収容して袋状容器２を自立させる外装容器３とを備えている。袋状容器２は、液体を収容する袋体２１と、袋体２１の内部の液体を吐出させるためのスパウト２２とを備えている。
【００２２】
図２に示されるように、袋状容器２の袋体２１は、矩形状を成す２枚のフィルム２３が貼り合わされて形成されている。フィルム２３として、例えば合成樹脂シートからなる軟包装用フィルムを使用することができる。袋体２１は、厚み方向（図示Ｙ方向）に対面するフィルム２３の外周縁２３ａ同士が、密着されて袋状に形成されている。袋体２１の上端部２１ａの中央には、スパウト２２が配置されている。フィルム２３の上端部の中央部は、スパウト２２の土台部２２ａの側部に密着しており、幅方向（図示Ｘ方向）の両側ではフィルム２３の上端部における外周縁同士が密着されている。なお、袋状容器２の形状は矩形状に限定されず、その他の形状でもよい。
【００２３】
スパウト２２は、袋体２１内に充填された液体を吐出させる筒状部２２ｂを有する。筒状部２２ｂの一方の端部である土台部２２ａは、袋体２１に固定され、他方の端部には、スパウト２２の開口部を閉止するキャップ２４が取り付けられている。キャップ２４をスパウト２２から取り外すことで、開口部を露出させて袋体２１内の液体を吐出させることができる。
【００２４】
スパウト２２には、筒状部２２ｂの中心線方向（図示Ｚ方向）に交差する方向（袋状容器２の幅方向、図示Ｘ方向）に張り出す一対の羽根部２５が形成されている。羽根部２５は平板状を成しており、袋体２１の上端部２１ａよりも上方に配置されている。羽根部２５の板厚方向は、筒状部２２ｂの中心線方向に沿って配置されている。羽根部２５は、袋状容器２を外装容器３に装着した際に、外装容器３に支持される部分である。羽根部２５の下面が外装容器３に支持される。
【００２５】
一対の羽根部２５の最大幅は、後述するスパウト用開口部６の最大径よりも大きくなっている。Ｘ方向における羽根部２５と支持片５とが重なる部分の長さは、羽根部２５の張り出し長さの１／４〜１／２程度である。羽根部２５の張り出し長さとは、羽根部２５の付け根から先端までの長さである。
【００２６】
外装容器３は、袋状容器２を収容して自立させるための容器である。外装容器３は扁平形状の筒体３１を有し、筒体３１は袋体２１を覆う一対の側壁３２を備えている。一方の側壁３２は袋体２１の正面を覆い、他方の側壁３２は背面を覆う。一対の側壁３２は、上方から見た場合に、図４に示されるように袋状容器２に沿うように湾曲している。一対の側壁３２同士は、幅方向（Ｘ方向）の中央部が厚み方向（Ｙ方向）において最も離間しており、幅方向の外側に向かうにつれて互いに接近している。一対の側壁３２の長手方向（Ｚ方向）の長さは袋体２１の長手方向の長さに対応しており、袋体２１の正面及び背面の全てを覆うことができる大きさとなっている（図１及び図７参照）。
【００２７】
外装容器３の幅方向の両側には、一対の側壁３２同士を連結する連結部３３が設けられている。連結部３３は、一対の側壁３２の長手方向（Ｚ方向）に連続し、一対の側壁３２同士を連結している。連結部３３の下端は、隣接する側壁３２の下端よりも上方に位置している。換言すれば、側壁３２は、連結部３３よりも下方まで張り出している。連結部３３は側壁３２の幅方向の端部から、対向する側壁３２側に屈曲されることで形成されている。連結部３３と側壁３２との境界には折り目３３ａが形成されている。なお、連結部３３の下端は側壁３２の下端とは上下方向において同じ高さに配置されていてもよい。
【００２８】
連結部３３は外装容器３の厚み方向の中央で屈曲されて、幅方向の外側に突出する角部が形成されている。この角部の頂部である折り目３３ｂは筒体３１の長手方向に沿って延在している。このように、連結部３３は、正面側の側壁３２の端部で屈曲され、連結部３３の中央で屈曲され、背面側の側壁３２の端部で屈曲され形成されている。このように複数回屈曲して連結部３３を形成することで、外装容器３の側部である角部を緩やかな角度とすることができる。筒体３１の側部において、上下方向に延在する複数の折り目３３ａ，３３ｂを形成することで、外装容器３の側部における剛性を高めて外装容器３の変形を抑制することができる。
【００２９】
図５に示されるように、連結部３３は筒体３１の下端３１ａに向かうにつれて、折り目３３ａが互いに離間するように形成されている。上下方向において、筒体３１の上端３１ｂから中央部までは一対の側壁３２側の折り目３３ａは平行に配置され、上下方向の中央部から下端３１ａに向かうにつれて、側壁３２側の折り目３３ａが互いに離間するように配置されている。このように折り目３３ａが下端３１ａに向かうにつれて、互いに離間するように形成されていると、筒体３１の自立をより安定させることができ、下端３１ａに向かうにつれて挿入用開口部４が大きくなり、袋状容器２を挿入させやすくすることができる。
【００３０】
筒体３１の下端３１ａには、袋状容器２を筒体３１内に挿入するための挿入用開口部４が形成されている。挿入用開口部４の周縁部は、筒体３１の下縁であり、一対の側壁３２の下縁及び一対の連結部３３の下縁によって構成されている。
【００３１】
外装容器３の上端部には、スパウト２２を支持する一対の支持片（支持部）５が設けられている。この支持片５は、筒体３１の上端３１ｂ側の開口の一部を覆うように、一方の側壁３２から他方の側壁３２へ延びている。一対の支持片５は側壁３２の上端部同士を接続している。一対の支持片５は、一方の側壁３２の上端部から屈曲されて形成されている。一対の支持片５は、図４に示されるように、外装容器３の幅方向に離間して配置され、この一対の支持片５間の開口部分が、スパウト２２を外装容器３から露出させるためのスパウト用開口部６である。
【００３２】
スパウト用開口部６は、一対の支持片５の対向する縁部５ａ、及び、筒体３１の上端３１ｂのうち一対の支持片５間に配置された部分によって構成されている。スパウト用開口部６は、矩形状に形成されている。
【００３３】
一対の支持片５は、可撓性を有し、袋状容器２の外装容器３への挿入に伴うスパウト２２の移動によって変形する。一対の支持片５は、スパウト用開口部６を通過したスパウト２２を支持する。具体的には、スパウト２２の一対の羽根部２５が一対の支持片５上に載置されることで、一対の支持片５はスパウト２２を支持する。
【００３４】
スパウト用開口部６の周縁部を構成する支持片５の縁部５ａは、図５に示されるように、外装容器３の厚み方向の中央部において上方へ屈曲されている。また、支持片５の外装容器３の厚み方向の中央部には、支持片５の板厚方向に貫通する切り込み５１が形成されている。この切り込み５１は上から見た場合に、スパウト用開口部６の周縁部から外装容器３の幅方向に切り込まれている。
【００３５】
図４に示されるように、上から見た場合に、支持片５の切り込み５１の基端部から、外装容器３の幅方向の外側に向けて、上方に突出する山折り部５ｂが形成されている。この山折り部５ｂは、外装容器３の幅方向において支持片５の中央付近まで連続している。外装容器３の厚み方向において、切り込み５１と側壁３２の上縁との間には、下方に窪む谷折り部５ｃが形成されている。この谷折り部５ｃは、外装容器３の厚み方向において、切り込み５１を挟んで両側に形成されている。この一対の谷折り部５ｃは、支持片５の縁部５ａから支持片５の中央付近に向かって、山折り部５ｂに接近するように伸びている。
【００３６】
支持片５では、上から見た場合に、縁部５ａ及び一対の谷折り部５ｃに囲まれた領域が、三角形状を成すように形成され、この三角形状を成す領域が一対の谷折り部５ｃを起点として上下方向に撓む。また、支持片５の側部５ｄと、連結部３３との間には開口部５２が形成されている。この開口部５２により、連結部３３が拘束されないので、連結部３３の内方への動きを許容することができ、筒体３１が厚み方向に開き易くなる。
【００３７】
また、一対の支持片５は、外装容器３に収容された袋状容器２の位置を規制する機能を有する。液体用容器１の上端部を下向きに傾けた場合に、一対の支持片５と袋状容器２との上端部とが当たることで、筒体３１内の袋状容器２の移動を拘束する。
【００３８】
次に、図６を参照して、外装容器３の組立てについて説明する。外装容器３は、１枚のシート３６を折り曲げることで製造することができる。外装容器３に使用されるシート３６の材質としては、例えばＰＰ（polypropylene）、Ａ−ＰＥＴ（Amorphous-PET）、ＰＳ（polystyrene）、ＰＶＣ（polyvinyl choride）などが挙げられる。シート３６の厚さは、例えば０．１〜２．０ｍｍであり、好ましくは０．２〜１．５ｍｍであり、より好ましくは０．２〜１．０ｍｍである。本実施形態のシート３６はＰＰシートであり、厚みは０．３ｍｍである。図６に示されるように、シート３６では、図示左右方向に、接続代３４、連結部３３、側壁３２、連結部３３、側壁３２が配置されている。また、側壁３２の上端部から上方に、一対の支持片５が張り出している。一対の支持片５はＶ字状に配置されている。
【００３９】
外装容器３を製造する際には、例えば、接続代３４側から順に折り返すことで、側壁３２同士を対面させて筒体３１を形成する。接続代３４は側壁３２の縁部の外側に重ねられ、接続代３４と側壁３２とが接合される。筒体３１が形成された後、一対の支持片５に折り目（山折り部５ｂ、谷折り部５ｃ）を付けると共に、一対の支持片５を接続相手の側壁３２に向かって折り返すことで、一対の支持片５と側壁３２とを接続する。支持片５の端部には接続代３５が設けられており、この接続代３５を側壁３２の上端部の内面に重ねて、この重なり部分を接合する。このようにして、図３に示されるような外装容器３を組み立てることができる。
【００４０】
次に、外装容器３への袋状容器２の挿入について説明する。外装容器３を準備し、外装容器３の挿入用開口部４の下方に袋状容器２を配置する。袋状容器２のスパウトは挿入用開口部４に向けられる。挿入用開口部４からスパウト２２を筒体３１内に挿入し、袋状容器２の下端部を上方へ（外装容器３側へ）押し込む。このとき、袋状容器２の袋体２１の側部は、筒体３１の連結部３３内に保持されている。袋体２１は、外装容器３の厚み方向において、一対の側壁３２によって挟持されている。側壁３２は、袋体２１の形状に合わせて湾曲している。
【００４１】
袋状容器２を更に押し込むと、スパウト２２の先端にキャップ２４が、スパウト用開口部６に対応する位置に案内されて、外装容器３のスパウト用開口部６内に挿入される。袋状容器２の側部が外装容器３の連結部３３に保持された状態で、袋状容器２が連結部３３の延在する方向に沿って、真っ直ぐに移動するので、外装容器３の幅方向及び厚み方向において、袋状容器２の位置が拘束され、キャップ２４がスパウト用開口部６の位置に正しく案内される。
【００４２】
キャップ２４がスパウト用開口部６内に挿入されて、キャップ２４がスパウト用開口部６を通過すると、一対の羽根部２５が一対の支持片５に当たる。一対の羽根部２５が一対の支持片５に当たると、スパウト２２の移動に伴って、一対の支持片５が外向きに撓んで変形する。
【００４３】
一対の支持片５が撓んでスパウト用開口部６が広がり、一対の羽根部２５が一対の支持片５を押し退けながら、スパウト２２の上部側がスパウト用開口部６を通過する。一対の羽根部２５が一対の支持片５を交わすと、一対の支持片５は、変形前の元の位置に復帰する。一対の支持片５はスパウト２２の中心線方向において、羽根部２５と袋体２１の上端部２１ａとの間に配置される。これにより、一対の羽根部２５が一対の支持片５上に載置されて、袋状容器２の外装容器３への装着が完了する。
【００４４】
このように袋状容器２に外装容器３を装着し、外装容器３の挿入用開口部４を水平面上に載置することで、袋状容器２を自立させた状態とすることができる。
【００４５】
このような外装容器３に収容された袋状容器２内の液体を使用する場合には、スパウト２２のキャップ２４を取り外し、スパウト２２の開口部（注ぎ口）を露出させて、外装容器３ごと袋状容器２を傾けることで、袋状容器２内の液体をスパウト２２から注ぎ出すことができる。
【００４６】
使用者は外装容器３の側部の連結部３３を握ることで、袋状容器２に力を加えずに、液体用容器１を持ち上げることができる。袋状容器２に必要以上の力が作用しないので、袋状容器２が押されて内部の液体が必要以上に流れ出てしまうことが防止される。そのため、液体用容器１を安心して持つことができる。
【００４７】
このような外装容器３によれば、側壁により袋状容器２を収容して側壁を立てることで、袋状容器２を自立させることが可能である。外装容器３に対して袋状容器２を挿入用開口部４から挿入することにより、可撓性を有する一対の支持片５を変形させて、スパウト用開口部６からスパウト２２を露出させた後、一対の支持片５によってスパウト２２を支持することができる。外装容器３に対して袋状容器２を押し込むだけで、外装容器３に簡単に袋状容器２を装着することができる。
【００４８】
側壁は、可撓性を有し袋状容器２よりも剛性が高く、袋状容器２の外形に対応して湾曲するので、袋状容器２の膨らみに合わせて側壁３２を変形させることができる。これにより、袋状容器２が側壁３２によって挟まれて、位置が案内されるので、スパウト用開口部６にスパウト２２が容易に案内されて、一層容易に袋状容器２に外装容器３を装着することができる。
【００４９】
また、一対の支持片５は、スパウト用開口部６の一対の支持片５（対向する周縁部）が外装容器３の外側に折り曲げられているので、上向きに折り曲げられた状態の一対の支持片５によって、スパウト２２を安定して支持することができる。一対の支持片５によって、スパウト２２の下向きの力を受けることができる。
【００５０】
一対の支持片５には切り込み５１が形成されているので、一対の支持片５の可動域を広げることができる。また、切り込み５１を挟んで隣接する部分間で力が伝達されないので、スパウト用開口部６の周縁部に割れが発生するおそれが低減される。
【００５１】
本発明は、前述した実施形態に限定されず、本発明の要旨を逸脱しない範囲で下記のような種々の変形が可能である。
【００５２】
上記の実施形態では、１枚のシートを折り曲げることで外装容器３が形成されているが、複数のシートを接合することで外装容器を形成してもよい。また、外装容器はシート状の部材から形成されたものでもよく、例えば、射出成型品から形成されたものでもよく、ブロー成型品から形成されたものでもよく、その他の部材から形成されたものでもよい。また、外装容器の側壁は、袋状容器を覆うように配置された状態において、自立可能な強度を有するものであればよい。
【００５３】
図４に示されるように、切り込み５１の形状は、鍵穴形状でもよく、その他の形状でもよい。切り込み５１の形状は、例えば、三角形、四角形、線状、ひし形状、Ｕ字型形状などでもよい。
【００５４】
上記実施形態では、外装容器３の幅方向に対向して、一対の支持片５が設けられているが、一対の支持片５は例えば、外装容器３の厚み方向に対向して配置されていてもよい。スパウト２２を支持するためのスパウト用支持部は、一対の支持片５に限定されず、その他の形状でもよい。
【００５５】
また、上記実施形態では、幅方向の中央に、スパウト２２及びスパウト用開口部６が配置されているが、幅方向の中央からずれた位置にスパウト２２及びスパウト用開口部６が配置されている構成でもよい。
【００５６】
また、上記実施形態では、スパウト用開口部６の周縁部がスパウト支持部として構成されているが、スパウト支持部とスパウト用開口部６が異なる位置に配置されているものでもよい。例えば、外装容器３の長手方向において、スパウト支持部の外側にスパウト用開口部６が形成されていてもよい。スパウト支持部が筒体３１内に配置されているものでもよい。
【００５７】
また、上記実施形態では、袋状容器に収容される対象物を液体とし、袋状容器を備える液体用容器（充填容器）について説明しているが、袋状容器に収容される対象物は、液体に限定されず、例えば、粉体、粒体、固体、粘性体等、その他の物でもよい。
【符号の説明】
【００５８】
１…液体用容器（充填容器）、２…袋状容器、２２…スパウト、３…外装容器、３１…筒体、３２…側壁、４…挿入用開口部、５…一対の支持片（スパウト支持部）、６…スパウト用開口部。
【図１】
2015202875.tif 000003
【図２】
2015202875.tif 000004
【図３】
2015202875.tif 000005
【図４】
2015202875.tif 000006
【図５】
2015202875.tif 000007
【図６】
2015202875.tif 000008
【図７】
2015202875.tif 000009